(57)【要約】【課題】超高精細に対応した映像信号を配信する際の伝送効率を効果的に高めることができるとともに、伝送される映像信号の信頼性をより一層高くすることを可能として実用に適し得るようにした映像信号送信方法、映像信号受信装置及び映像信号受信方法を提供すること。【解決手段】実施の形態によれば、映像信号送信方法は、制御情報付加手段（３０，３７，４３，４４）により、第１及び第２の映像信号に対して相互に関連付けを行なうための制御情報をそれぞれ付加し、送信手段（３９，４６）により、制御情報の付加された第１及び第２の映像信号をそれぞれ送信する。【選択図】    図３
2014060625.tif 000002
【特許請求の範囲】
【請求項１】
制御情報付加手段により、第１及び第２の映像信号に対して相互に関連付けを行なうための制御情報をそれぞれ付加し、
送信手段により、前記制御情報の付加された第１及び第２の映像信号をそれぞれ送信する映像信号送信方法。
【請求項２】
前記第１の映像信号は、元の映像信号をダウンコンバートした信号であり、前記第２の映像信号は、前記第１の映像信号をアップコンバートした信号と元の映像信号との差分信号である請求項１記載の映像信号送信方法。
【請求項３】
前記制御情報付加手段は、前記第１及び第２の映像信号に対して、それぞれが単独で再生可能か否かを示す属性情報を付加する請求項１記載の映像信号送信方法。
【請求項４】
前記制御情報付加手段は、前記第１及び第２の映像信号に対して、それぞれが再生時に参照対象とする情報を示すための参照情報を付加する請求項１記載の映像信号送信方法。 
【請求項５】
前記制御情報付加手段は、前記第１及び第２の映像信号に対してそれぞれ多重化されるＰＳＩ情報の中のＰＭＴ情報内と、前記第１及び第２の映像信号に対してそれぞれ多重化されるＰＳＩ／ＳＩ情報の中のＥＩＴ情報内とのいずれか一方に、前記制御信号を記述する請求項１記載の映像信号送信方法。
【請求項６】
第１及び第２の映像信号が入力される入力手段と、
前記入力手段に入力された第１及び第２の映像信号にそれぞれ付加されている、両信号の関連付けを行なうための制御情報に基づいて、前記第１及び第２の映像信号の対応付けを行なう制御手段とを具備する映像信号受信装置。
【請求項７】
前記第１の映像信号は、元の映像信号をダウンコンバートした信号であり、前記第２の映像信号は、前記第１の映像信号をアップコンバートした信号と元の映像信号との差分信号である請求項６記載の映像信号受信装置。
【請求項８】
前記制御情報は、前記第１及び第２の映像信号に対して、それぞれが単独で再生可能か否かを示す属性情報である請求項６記載の映像信号受信装置。
【請求項９】
前記制御情報は、前記第１及び第２の映像信号に対して、それぞれが再生時に参照対象とする情報を示すための参照情報である請求項６記載の映像信号受信装置。
【請求項１０】
前記制御情報は、前記第１及び第２の映像信号に対してそれぞれ多重化されるＰＳＩ情報の中のＰＭＴ情報内と、前記第１及び第２の映像信号に対してそれぞれ多重化されるＰＳＩ／ＳＩ情報の中のＥＩＴ情報内とのいずれか一方に記述される請求項６記載の映像信号受信装置。
【請求項１１】
入力手段により、第１及び第２の映像信号を入力し、
制御手段により、前記入力手段に入力された第１及び第２の映像信号にそれぞれ付加されている、両信号の関連付けを行なうための制御情報に基づいて、前記第１及び第２の映像信号の対応付けを行なう映像信号受信方法。
【発明の詳細な説明】
【技術分野】
【０００１】
この発明の実施の形態は、高精細映像信号を伝送可能な映像信号送信方法、映像信号受信装置及び映像信号受信方法に関する。
【背景技術】
【０００２】
周知のように、現在、一般家庭向けとして普及している高精細のデジタルテレビジョン放送受信装置としては、水平方向が１９２０画素で垂直方向が１０８０画素の画素数を備えた、２Ｋ１Ｋと称される高精細な映像の表示に対応したＨＤＴＶ（high-definition television）が主流になっている。
【０００３】
一方、現在では、水平方向に３８４０画素を備え垂直方向に２１６０画素を備えた、４Ｋ２Ｋと称されるＨＤＴＶの４倍の解像度を有する映像や、水平方向に７６８０画素を備え垂直方向に４３２０画素を備えた、８Ｋ４Ｋと称されるＨＤＴＶの１６倍の解像度を有する映像のような、超高精細な映像の表示に対応したＵＨＤＴＶ（Ultra HDTV）の開発も盛んに行なわれている。
【０００４】
ところで、このような超高精細な映像表示を行なう技術は、まだまだ開発途上の段階にあり、ユーザにとっての利便性を考慮し実用に適するものとなるように、細部に亘っての開発が強く要望されている。特に、超高精細に対応した情報量の多い映像信号を、限られた伝送路帯域で配信するにあたって、その伝送効率を高くするだけでなく、信頼性の高い伝送を行なえるようにすることが重要な課題となっている。
【先行技術文献】
【特許文献】
【０００５】
【特許文献１】特開２０１０−０１１１５４号公報
【発明の概要】
【発明が解決しようとする課題】
【０００６】
超高精細に対応した映像信号を配信する際の伝送効率を効果的に高めることができるとともに、伝送される映像信号の信頼性をより一層高くすることを可能として実用に適し得るようにした映像信号送信方法、映像信号受信装置及び映像信号受信方法を提供することを目的とする。
【課題を解決するための手段】
【０００７】
実施の形態によれば、映像信号送信方法は、制御情報付加手段により、第１及び第２の映像信号に対して相互に関連付けを行なうための制御情報をそれぞれ付加し、送信手段により、制御情報の付加された第１及び第２の映像信号をそれぞれ送信する。
【図面の簡単な説明】
【０００８】
【図１】実施の形態としてのコンテンツ配信システムの一例を概略的に説明するために示すブロック構成図。
【図２】同実施の形態におけるコンテンツ配信システムを構成する放送局での映像信号処理部の一例を説明するために示すブロック構成図。
【図３】同実施の形態における放送局でのコンテンツ処理部の一例を説明するために示すブロック構成図。
【図４】同実施の形態における放送局で新規に付加する制御情報の一例を説明するために示す図。
【図５】同実施の形態におけるコンテンツ配信システムを構成する受信端末の一例を概略的に説明するために示すブロック構成図。
【図６】同実施の形態における受信端末を構成するコンテンツ復元処理部の一例を説明するために示すブロック構成図。
【図７】同実施の形態における受信端末を構成する映像復元処理部の一例を説明するために示すブロック構成図。
【図８】同実施の形態における放送局で新規に付加する制御情報の他の例を説明するために示す図。
【図９】同実施の形態における放送局で新規に付加する制御情報の他の例を詳細に説明するために示す図。
【図１０】同実施の形態における放送局で新規に付加する制御情報の他の例を詳細に説明するために示す図。
【図１１】同実施の形態における放送局で新規に付加する制御情報の他の例を詳細に説明するために示す図。
【図１２】同実施の形態における受信端末が行なう主要な処理動作の一例の一部を説明するために示すフローチャート。
【図１３】同実施の形態における受信端末が行なう主要な処理動作の一例の残部を説明するために示すフローチャート。
【発明を実施するための形態】
【０００９】
以下、実施の形態について図面を参照して詳細に説明する。図１は、この実施の形態で説明するコンテンツ配信システム１１の一例を概略的に示している。まず、このコンテンツ配信システム１１では、放送局１２から放送波を媒体として配信される番組コンテンツが、受信端末１３に受信されて映像表示や音声再生等に供される。
【００１０】
また、このコンテンツ配信システム１１では、放送局１２から有線または無線通信により、番組コンテンツがサーバ１４に供給され蓄積されるようになっている。そして、上記受信端末１３は、有線または無線による通信が可能なＬＡＮ（local area network）ルータ１５、例えば固定ＩＰ（internet protocol）通信網等でなるネットワーク回線網１６、ゲートウェイ１７を介してサーバ１４にアクセス可能となっている。
【００１１】
これにより、受信端末１３では、サーバ１４から予め設定された番組配信スケジュールに基づいて配信される番組コンテンツを取得して映像表示や音声再生等を行なう、いわゆるＩＰ放送機能や、サーバ１４に要求した番組コンテンツを取得して映像表示や音声再生等を行なう、いわゆる、ＶＯＤ（video on demand）機能等を実現することができる。
【００１２】
図２及び図３は、それぞれ、上記放送局１１が、放送または通信する番組コンテンツに対して、送信用の処理を施すための送信用信号処理系の一例を示している。このうち、図２は、番組コンテンツを構成する映像信号に対して送信用の信号処理を施す映像信号処理部１８の一例を示している。
【００１３】
すなわち、この映像信号処理部１８は、原映像信号である例えば４Ｋ２Ｋ対応の映像信号が供給される入力端子１９を備えている。この入力端子１９に供給された４Ｋ２Ｋ対応の映像信号は、４Ｋ／２Ｋ変換部２０に供給されて２Ｋ１Ｋ対応の映像信号にダウンコンバートされた後、出力端子２１から取り出される。
【００１４】
また、上記４Ｋ／２Ｋ変換部２０から出力された２Ｋ１Ｋ対応の映像信号は、２Ｋ／４Ｋ変換部２２に供給されて４Ｋ２Ｋ対応の映像信号にアップコンバートされた後、減算部２３により、入力端子１９に供給された４Ｋ２Ｋ対応の映像信号との差分信号が生成される。この差分信号は、出力端子２４から取り出される。
【００１５】
すなわち、この映像信号処理部１８は、４Ｋ２Ｋ対応の原映像信号を、それをダウンコンバートした２Ｋ１Ｋ対応の映像信号と、この２Ｋ１Ｋ対応の映像信号をアップコンバートした４Ｋ２Ｋ対応の映像信号と原映像信号との差分信号とに分離して出力していることになる。
【００１６】
また、図３は、上記映像信号処理部１８で分離された２Ｋ１Ｋ対応の映像信号と差分信号とを含む番組コンテンツに対して送信用の信号処理を施すコンテンツ処理部２５の一例を示している。すなわち、このコンテンツ処理部２５は、上記映像信号処理部１８から出力される２Ｋ１Ｋ対応の映像信号及び差分信号がそれぞれ供給される入力端子２６，２７を備えている。
【００１７】
このうち、入力端子２６に供給された２Ｋ１Ｋ対応の映像信号は、ＭＰＥＧ（moving picture experts group）２符号化部２８に供給されて符号化処理が施され、ＰＥＳ（packetized elementary stream）化処理部２９によりＰＥＳパケット化処理された後、多重化処理部３０に供給される。
【００１８】
また、上記コンテンツ処理部２５は、番組コンテンツを構成する音声信号が供給される入力端子３１を備えている。この入力端子３１に供給された音声信号は、音声符号化部３２により符号化処理が施され、ＰＥＳ化処理部３３によりＰＥＳパケット化処理された後、多重化処理部３０に供給される。
【００１９】
さらに、上記コンテンツ処理部２５は、番組コンテンツを構成する字幕／文字スーパー情報が供給される入力端子３４を備えている。この入力端子３４に供給された字幕／文字スーパー情報は、ＰＥＳ化処理部３５によりＰＥＳパケット化処理が施された後、多重化処理部３０に供給される。
【００２０】
また、上記コンテンツ処理部２５は、番組コンテンツを構成する番組関連情報が供給される入力端子３６を備えている。この入力端子３６に供給された番組関連情報は、ＰＳＩ（program specific information）／ＳＩ（service information）情報生成部３７に供給されてＰＳＩ／ＳＩ情報の生成に供される。
【００２１】
すなわち、このＰＳＩ／ＳＩ情報生成部３７は、主として、各入力端子２６，３１，３４に供給された映像信号、音声信号及び字幕／文字スーパー情報等を、番組別に多重化伝送制御情報として相互に関連付けを行ない、受信再生時に、選択された番組の構成信号を多重分離し、各信号が正しいタイミングで同期再生されるように制御するためのＰＳＩや伝送するチャンネルや番組の関連情報であるＳＩ情報を生成している。
【００２２】
また、このＰＳＩ／ＳＩ情報生成部３７では、詳細は後述するが、ＰＳＩ情報内に記述されるＰＭＴ（program map table）情報の中に、入力端子２６に供給された２Ｋ１Ｋ対応の映像信号を、入力端子２７に供給された差分信号に関連付けるための制御情報を新規に定義して記述している。
【００２３】
そして、このＰＳＩ／ＳＩ情報生成部３７で生成されたＰＳＩ／ＳＩ情報は、セクション化処理部３８に供給されてセクション化された後、多重化処理部３０に供給される。
【００２４】
ここで、上記多重化処理部３０は、ＰＥＳ化処理部２９，３３，３５から出力される映像信号、音声信号及び字幕／文字スーパー情報や、セクション化処理部３８から出力されるＰＳＩ／ＳＩ情報をＴＳパケット多重化してＴＳ（transport stream）を生成する。
【００２５】
そして、多重化処理部３０で生成されたＴＳは、伝送路符号化部３９に供給されて伝送路に対応した変調や誤り訂正符号化の処理が施された後、出力端子４０から取り出されて所定の第１のチャンネルでの放送に供される。
【００２６】
また、上記入力端子２７に供給された差分信号は、ＨＥＶＣ（high efficiency video coding）符号化部４１に供給されて符号化処理が施され、ＰＥＳ化処理部４２によりＰＥＳパケット化処理された後、多重化処理部４３に供給される。
【００２７】
さらに、上記入力端子３５に供給された番組関連情報は、他のＰＳＩ／ＳＩ情報生成部４４に供給されている。このＰＳＩ／ＳＩ情報生成部４４は、差分信号の多重化伝送制御情報に加え上記ＰＭＴ情報の中に、入力端子２７に供給された差分信号を、上記入力端子２６に供給された２Ｋ１Ｋ対応の映像信号に関連付けるための制御情報を新規に定義して記述している。
【００２８】
そして、このＰＳＩ／ＳＩ情報生成部４４で生成されたＰＳＩ／ＳＩ情報は、セクション化処理部４５に供給されてセクション化された後、多重化処理部４３に供給される。
【００２９】
ここで、上記多重化処理部４３は、ＰＥＳ化処理部４２から出力される差分信号と、セクション化処理部４５から出力されるＰＳＩ／ＳＩ情報をＴＳパケット多重化してＴＳを生成する。そして、多重化処理部４３で生成されたＴＳは、伝送路符号化部４６に供給されて伝送路に対応した符号化処理が施された後、出力端子４７から取り出されて別の第２のチャンネルでの放送に供される。
【００３０】
図４は、上記ＰＳＩ／ＳＩ情報生成部３７において、ＰＭＴ情報内に新規に定義されて記述される制御情報についてのデータ構造の一例を示している。すなわち、この制御情報 は、“extended_component_descriptor ()”なる名称で新規定義され、入力端子２６に供給される映像信号に対応する、ＰＭＴの第２の記述子領域“descriptor ()”に記載されて伝送される。
【００３１】
内容の具体例としては、次のようなものが想定される。
【００３２】
まず、“complementary_component_flag”は、１ビットのフラグであり、当該コンポーネントの映像信号が、単独で再生可能か否かを示す属性情報である。例えば、“０”が単独でサービスとして意味のある再生が可能であることを示し、“１”が他のコンポーネントを用いることではじめてサービスとして意味のある再生が可能であることを示している。
【００３３】
また、“ref_transport_stream_id”は、１６ビットのフィールドで、当該コンポーネントを構成する２Ｋ１Ｋ対応の映像信号が、参照対象とするコンポーネント（差分信号）を伝送しているＴＳの識別子“transport_stream_id”を示す参照情報である。
【００３４】
さらに、“ref_program_number”は、１６ビットのフィールドで、当該コンポーネントを構成する２Ｋ１Ｋ対応の映像信号が、参照対象とするコンポーネント（差分信号）を伝送しているＴＳの“program_number”を示す参照情報である。
【００３５】
また、“ref_component_tag”は、８ビットのフィールドで、当該コンポーネントを構成する２Ｋ１Ｋ対応の映像信号が、参照対象とするコンポーネント（差分信号）のタグ値を示す参照情報である。
【００３６】
すなわち、上記映像信号処理部１８で生成された２Ｋ１Ｋ対応の映像信号に対しては、ＰＭＴにこの記述子を配置することで関連映像信号が別途伝送されていることを示す。complementary_component_flag＝０として伝送することで、このコンポーネントが単独で再生（２Ｋ１Ｋ）が可能である旨を示すとともに、このコンポーネントが４Ｋ２Ｋ再生時に参照対象とするコンポーネント（差分信号）の取得場所を示す参照情報等が新規に付加されて放送に供される。
【００３７】
また、上記映像信号処理部１８で生成された差分信号に対しても、ＰＭＴにこの記述子を配置することで関連映像情報が別途伝送されていることを示す。complementary_component_flag＝１として伝送することでこのコンポーネントが単独で再生が不可能である旨を示すともに、このコンポーネントが４Ｋ２Ｋ再生時に参照対象とするコンポーネント（２Ｋ１Ｋ対応の映像信号）の取得場所を示す参照情報等が新規に付加されて放送に供されることになる。
【００３８】
なお、参照情報としては、参照対象となるコンポーネントがどのような形態、つまり、放送、ネットワーク、蓄積メディア、ファイル形式等々のいずれの形態で配信されるのかを示す配信種別や、配信スケジュール、ＵＲＩ（uniform resource identifier）、課金種別等を示す情報を含んでいるようにしても良いものである。
【００３９】
図５は、上記受信端末１３の信号処理系の一例を概略的に示している。すなわち、アンテナ４８で受信した放送信号は、入力端子４９を介してチューナ部５０に供給されることにより、所望のチャンネルの放送信号が選局される。このチューナ部５０で選局された放送信号は、信号処理部５１に供給される。
【００４０】
この信号処理部５１は、詳細は後述するが、入力された放送信号に対して復号処理を施し、映像信号、音声信号、字幕／文字スーパー情報及び番組関連情報を復元している。また、映像信号が２Ｋ１Ｋ対応の映像信号と差分信号とに分離されている場合には、これらの信号から元の４Ｋ２Ｋ対応の映像信号を復元する処理も行なっている。そして、この信号処理部５１は、復元した映像信号を合成処理部５２に出力し、復元した音声信号を音声処理部５３に出力している。
【００４１】
このうち、合成処理部５２は、信号処理部５１から供給される映像信号に、ＯＳＤ（on screen display）信号を重畳して出力している。この合成処理部５２から出力された映像信号は、映像処理部５４に供給されて、後段の、例えば液晶表示パネル等を有する平面型の映像表示部５６で表示可能なフォーマットに変換された後、出力端子５５を介して上記映像表示部５６に供給されて映像表示に供される。
【００４２】
また、上記音声処理部５３は、入力された音声信号を、後段のスピーカ５８で再生可能なフォーマットの音声信号に変換している。そして、この音声処理部５３から出力された音声信号が、出力端子５７を介して上記スピーカ５８に供給されることにより音声再生に供される。
【００４３】
ここで、この受信端末１３は、上記した各種の受信動作を含む種々の動作を制御部５９によって統括的に制御されている。この制御部５９は、ＣＰＵ（central processing unit）５９ａを内蔵しており、受信端末１３の本体に設けられた操作部６０からの操作情報、または、リモートコントローラ６１から送信され受信部６２で受信された操作情報を受けることにより、その操作内容が反映されるように各部をそれぞれ制御している。
【００４４】
この場合、制御部５９は、メモリ部５９ｂを利用している。このメモリ部５９ｂは、主として、ＣＰＵ５９ａが実行する制御プログラムを格納したＲＯＭ（read only memory）と、該ＣＰＵ５９ａに作業エリアを提供するためのＲＡＭ（random access memory）と、各種の設定情報及び制御情報等が格納される不揮発性メモリとを有している。
【００４５】
また、この制御部５９には、ＨＤＤ（hard disk drive）６３が接続されている。この制御部５９は、ユーザによる操作部６０やリモートコントローラ６１の操作に基づいて、上記信号処理部５１から得られる映像信号及び音声信号をＨＤＤ６３に供給し、ハードディスク６３ａに記録させるように制御することができる。
【００４６】
また、この制御部５９は、ユーザによる操作部６０やリモートコントローラ６１の操作に基づいて、ＨＤＤ６３によりハードディスク６３ａから映像信号及び音声信号を読み出させて信号処理部５１に供給することによって、以後、上記した映像表示及び音声再生に供させるように制御することができる。
【００４７】
さらに、この制御部５９には、ネットワークインターフェース６４が接続されている。このネットワークインターフェース６４は、上記ＬＡＮルータ１５と情報伝送可能に接続されている。このため、制御部５９は、ユーザによる操作部６０やリモートコントローラ６１の操作に基づき、ＬＡＮルータ１５、ネットワーク回線網１６及びゲートウェイ１７を介してサーバ１４にアクセスし、そこで提供している番組コンテンツを取得することができるようになっている。
【００４８】
なお、サーバ１４から取得した番組コンテンツを構成する映像信号や音声信号等についても、上記した映像表示及び音声再生に供されることや、ＨＤＤ６３によりハードディスク６３ａに対する記録再生に供されることは言うまでもないことである。
【００４９】
図６及び図７は、それぞれ、上記信号処理部５１における信号処理手段の一例を示している。このうち、図６は、チューナ部５０で選局された放送信号に復号処理を施し、映像信号、音声信号、字幕／文字スーパー情報及び番組関連情報をそれぞれ復元するコンテンツ復元処理部６５の一例を示している。
【００５０】
すなわち、このコンテンツ復元処理部６５は、上記第１のチャンネルで放送される放送信号、つまり、２Ｋ１Ｋ対応の映像信号、音声信号、字幕／文字スーパー情報及びＰＳＩ／ＳＩ情報を多重化したＴＳに、伝送路符号化処理を施した信号が供給される入力端子６６を備えている。また、このコンテンツ復元処理部６５は、上記第２のチャンネルで放送される放送信号、つまり、差分信号及びＰＳＩ／ＳＩ情報を多重化したＴＳに、伝送路符号化処理を施した信号が供給される入力端子６７を備えている。この場合、上記チューナ部５０は、第１及び第２のチャンネルを時分割で切り替えて選局するようにしている。
【００５１】
そして、入力端子６６に供給された放送信号は、伝送路復号部６８に供給されて復調や誤り訂正復号の伝送路復号処理が施され、これにより伝送路に対応した符号化処理が解かれた後のＴＳが多重化分離部６９に供給される。この多重化分離部６９は、入力されたＴＳを、２Ｋ１Ｋ対応の映像信号、音声信号、字幕／文字スーパー情報及びＰＳＩ／ＳＩ情報に分離している。
【００５２】
このうち、２Ｋ１Ｋ対応の映像信号は、デパケット処理部７０に供給されてパケット化が解かれ、ＭＰＥＧ２復号部７１により復号処理された後、出力端子７２から取り出される。また、音声信号は、デパケット処理部７３に供給されてパケット化が解かれ、音声復号部７４により復号処理された後、出力端子７５から取り出される。さらに、字幕／文字スーパー情報は、デパケット処理部７６に供給されてパケット化が解かれた後、出力端子７７から取り出される。また、ＰＳＩ／ＳＩ情報は、セクション復元部７８に供給されてセクション化が解かれた後、出力端子７９から取り出される。
【００５３】
一方、上記入力端子６７に供給された放送信号は、伝送路復号部８０に供給されて伝送路復号処理が施され、これにより伝送路に対応した符号化処理が解かれた後のＴＳが多重化分離部８１に供給される。この多重化分離部８１は、入力されたＴＳを、差分信号及びＰＳＩ／ＳＩ情報に分離している。
【００５４】
このうち、ＰＳＩ／ＳＩ情報は、セクション復元部８２に供給されてセクション化が解かれた後、出力端子８３から取り出される。また、差分信号は、デパケット処理部８４に供給されてパケット化が解かれ、ＨＥＶＣ復号部８５により復号処理された後、出力端子８６から取り出される。
【００５５】
また、図７は、上記コンテンツ復元処理部６５で復元された２Ｋ１Ｋ対応の映像信号と差分信号とから、元の４Ｋ２Ｋ対応の映像信号を復元する映像復元処理部８７の一例を示している。すなわち、この映像復元処理部８７は、上記コンテンツ復元処理部６５から出力される２Ｋ１Ｋ対応の映像信号及び差分信号がそれぞれ供給される入力端子８８，８９を備えている。
【００５６】
このうち、入力端子８８に供給された２Ｋ１Ｋ対応の映像信号は、２Ｋ／４Ｋ変換部９０に供給されて４Ｋ２Ｋ対応の映像信号にアップコンバートされる。そして、この２Ｋ／４Ｋ変換部９０から出力される４Ｋ２Ｋ対応の映像信号が、合成部９１により入力端子８９に供給された差分信号と合成されて、ここに、元の４Ｋ２Ｋ対応の映像信号が復元され出力端子９２から取り出される。
【００５７】
なお、上記合成部９１においては、２Ｋ／４Ｋ変換部９０でアップコンバートされた４Ｋ２Ｋ対応の映像信号と、ＨＥＶＣ復号部３４から出力される差分信号とを、例えばＰＴＳ（presentation time stamp）等を利用して同期させた状態で合成する必要がある。
【００５８】
上記した実施の形態によれば、放送局１１は、４Ｋ２Ｋ対応の映像信号を単に符号化して放送するのではなく、４Ｋ２Ｋ対応の原映像信号をダウンコンバートした２Ｋ１Ｋ対応の映像信号を符号化して放送するとともに、この２Ｋ１Ｋ対応の映像信号をアップコンバートした４Ｋ２Ｋ対応の映像信号と原映像信号との差分信号を符号化して放送するようにしている。これにより、４Ｋ２Ｋ対応の、つまり、超高精細に対応した映像信号を配信する際の伝送効率を高めることが可能となる。
【００５９】
また、放送される２Ｋ１Ｋ対応の映像信号及び差分信号に対しては、それぞれに、そのコンポーネントが単独で再生可能か他のコンポーネントを用いることで再生可能かを示す属性情報や、そのコンポーネントが再生時に参照対象とするコンポーネントの取得場所を示す参照情報等を、ＰＳＩ／ＳＩ情報に含まれるＰＭＴ情報内に新規に定義して記述するようにしている。
【００６０】
このため、受信端末１３では、受信した放送信号に対する属性情報を確認することによって、その放送信号を再生するために他のコンポーネントが必要か否かを判断することができるようになる。これにより、例えば差分信号のみに対して再生処理を行なってしまうといった不都合を回避することができるようになり、映像信号に対してより一層信頼性の高い伝送を行なうことが可能となる。
【００６１】
また、受信端末１３では、受信した放送信号に対する参照情報を確認することにより、参照対象となる他のコンポーネントを取得する処理を適切に行なうことが可能となる。例えば、参照情報により２Ｋ１Ｋ対応の映像信号と差分信号とのいずれかがファイル形式で配信されることが判明した場合には、ファイルの取得処理を優先させることができる。さらに、ファイルの取得完了前に他の信号がストリーム配信される場合には、この信号をＨＤＤ６３に蓄積させることができる。
【００６２】
ここで、上記した実施の形態では、ＰＳＩ／ＳＩ情報のＰＳＩ情報内に記述されるＰＭＴ情報の中に、２Ｋ１Ｋ対応の映像信号と差分信号とに関する属性情報や参照情報等の制御情報を新規に定義して記述するようにしたが、このような伝送情報は、ＰＳＩ／ＳＩ情報のＳＩ情報内に記述されるＥＩＴ（event information table）情報の中に、新規に定義して記述するようにしても良いものである。
【００６３】
図８は、上記ＰＳＩ／ＳＩ情報のＳＩ情報に含まれるＥＩＴ情報内に新規に定義されて記述される制御情報についてのデータ構造の一例を示している。すなわち、この制御情報 は、“extended_service_descriptor ()”なる名称で新規定義され、ＥＩＴの記述子領域“descriptor ()”に記載されて伝送しても良い。
【００６４】
内容の具体例としては、次のようなものが想定される。
【００６５】
まず、“extended_service_type”は、８ビットのフィールドで、図９に一例を示すように、拡張サービスの種別を示している。また、“return_to_brodcast_flag”は、１ビットのフラグであり、通信コンテンツ再生終了後の放送への遷移の要否を示している。例えば、“０”が戻り不要であることを示し、“１”が通信コンテンツへの遷移前の放送サービスに戻ることを示している。
【００６６】
さらに、“delivery_type”は、１ビットのフラグであり、配信コンテンツの配信方式を示している。例えば、“０”がストリーミングを示し、“１”がダウンロードを示している。また、“contract_flag”は、１ビットのフラグであり、配信コンテンツの受信再生における契約の要否を示している。例えば、“０”が不要を示し、“１”が必要を示している。さらに、“start_time_offset_polarity”は、次の番組の放送開始から通信コンテンツの再生開始までのオフセット時間の極性を示している。例えば、“０”がオフセット時間だけ進めることを示し、“１”が オフセット時間だけ遅らせることを示している。
【００６７】
また、“start_time_offset”は、１６ビットのフィールドで、番組コンテンツの放送開始から通信コンテンツの再生開始までのオフセット時間を、−１２時間から＋１２時間の範囲で指定する。オフセット時間の１０時間の位、１時間の位、１０分の位、１分の位の４個を、それぞれ４ビット２進化１０進数（ＢＣＤ）で符号化している。
【００６８】
さらに、“expiration_date”は、４０ビットのフィールドで、通信コンテンツの再生期限を示している。このフィールドは、ＭＪＢの下位１６ビットを１６ビットで符号化し、続く２４ビットを６個の４ビット２進化１０進数（ＢＣＤ）で符号化している。再生期限が定義されない場合には、このフィールドの全てのビットは“１”に設定する。
【００６９】
次に、フォーマット情報の一例としては、次のようなものが想定される。
【００７０】
まず、“extended_video_resolution_format_flag”は、１ビットのフラグであり、配信コンテンツが現行放送仕様から拡張された映像解像度であるか否かの情報を示している。例えば、“０”が拡張なし（現行放送仕様に準拠）を示し、“１”が拡張ありを示している。また、“extended_video_resolution_format”は、８ビットのフィールドで、図１０に一例を示すように、現行放送仕様から拡張された映像解像度の情報を示している。
【００７１】
さらに、“3D_video_format_flag”は、１ビットのフラグであり、配信コンテンツが３Ｄ映像を含むか否かを示している。例えば、“０”が３Ｄ（dimension）映像を含まないことを示し、“１”が３Ｄ映像を含むことを示している。また、“3D_video_format”は、８ビットのフィールドで、図１１に一例を示すように、３Ｄ映像フォーマット識別情報を示している。
【００７２】
図１２及び図１３は、上記ＰＳＩ／ＳＩ情報のＳＩ情報に含まれるＥＩＴ情報内に、図８に一例を示したようなデータ構造の、新規に定義された制御情報が記述されている場合に、上記受信端末１３の制御部５９が行なう主要な処理動作の一例をまとめたフローチャートを示している。
【００７３】
すなわち、処理が開始（ステップＳ１１）されると、制御部５９は、ステップＳ１２で、ＥＩＴ情報内の“expiration_date”を参照し、ステップＳ１３で、コンテンツが再生期限内であるか否かを判別する。そして、再生期限内であると判断された場合（ＹＥＳ）、制御部５９は、ステップＳ１４で、ＥＩＴ情報内の“3D_video_format”を参照し、ステップＳ１５で、コンテンツが３Ｄ映像に対応しているか否かを判別する。
【００７４】
ここで、３Ｄ映像に対応していると判断された場合（ＹＥＳ）、制御部５９は、ステップＳ１６で、ＥＩＴ情報内の“extended_video_resolution_format”を参照し、ステップＳ１７で、コンテンツが４Ｋ２Ｋ対応であるか否かを判別する。そして、４Ｋ２Ｋ対応であると判断された場合（ＹＥＳ）、制御部５９は、ステップＳ１８で、ＥＩＴ情報内の“contract_flag”を参照する。
【００７５】
このステップＳ１８の後、または、上記ステップＳ１３で再生期限内でないと判断された場合（ＮＯ）、または、上記ステップＳ１５で３Ｄ映像に対応していないと判断された場合（ＮＯ）、または、上記ステップＳ１７で４Ｋ２Ｋ対応でないと判断された場合（ＮＯ）、制御部５９は、ステップＳ１９で、エントリーが完了したか否かを判別し、完了していないと判断された場合（ＮＯ）、ステップＳ２０で、次のエントリーに移行して、ステップＳ１２の処理に戻される。
【００７６】
また、上記ステップＳ１９でエントリーが完了したと判断された場合（ＹＥＳ）、制御部５９は、ステップＳ２１で、対象コンテンツが存在するか否かを判別し、存在しないと判断された場合（ＮＯ）、ステップＳ２２で、対象コンテンツの配信なしのメッセージを映像表示部５６に表示させて、処理を終了（ステップＳ２３）する。
【００７７】
一方、上記ステップＳ２１で対象コンテンツが存在すると判断された場合（ＹＥＳ）、制御部５９は、ステップＳ２４で、対象コンテンツ選択画面を映像表示部５６に表示させ、ステップＳ２５で、コンテンツが選択されたか否かを判別する。
【００７８】
そして、コンテンツが選択されたと判断された場合（ＹＥＳ）、制御部５９は、ステップＳ２６で、ＥＩＴ情報内の“start_time_offset”及び“start_time_offset_polarity”を参照し、ステップＳ２７で、計時を行ない、ステップＳ２８で、オフセット時間が経過したか否かを判別する。
【００７９】
ここで、オフセット時間が経過したと判断された場合（ＹＥＳ）、制御部５９は、ステップＳ２９で、ＥＩＴ情報内に記述された対象コンテンツのＵＲＩを参照し、ステップＳ３０で、ＥＩＴ情報内の“delivery_type”を参照し、ステップＳ３１で、選択した対象コンテンツにアクセスし、このコンテンツを取得して再生する。
【００８０】
また、上記した実施の形態では、４Ｋ２Ｋ対応の映像信号を差分伝送する場合について記述したが、元の映像信号としては４Ｋ２Ｋの映像フォーマットに限定されるものではない。例えば、６Ｋ３Ｋや８Ｋ４Ｋ対応の映像信号に適用しても良いものである。また、適用される映像符号化方式としても、ＭＰＥＧ２やＨＥＶＣに限定されるものではない。
【００８１】
さらに、差分にとどまらず、分割伝送一般に当てはめることができる。すなわち、例えば、右目用映像信号と左目用映像信号との２つの映像信号を用いて３Ｄ（dimension）表示を行なう場合にも、上記した実施の形態を適用することができる。
【００８２】
この場合、第１の３Ｄ方式として、第１の映像信号を左目用の映像信号、第２の映像信号を右目用の映像信号とし、２Ｄ表示をする場合には一方の映像信号、３Ｄ表示する場合には両方の映像信号を表示する。第２の３Ｄ方式として、第１の映像信号を左目用の映像信号、第２の映像信号を第１の映像信号から右目用の映像信号を生成するための差分信号とし、２Ｄ表示をする場合には第１の映像信号、３Ｄ表示する場合には両方の映像信号を表示する。
【００８３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００８４】
１１…コンテンツ配信システム、１２…放送局、１３…受信端末、１４…サーバ、１５…ＬＡＮルータ、１６…ネットワーク回線網、１７…ゲートウェイ、１８…映像信号処理部、１９…入力端子、２０…４Ｋ／２Ｋ変換部、２１…出力端子、２２…２Ｋ／４Ｋ変換部、２３…減算部、２４…出力端子、２５…コンテンツ処理部、２６，２７…入力端子、２８…ＭＰＥＧ２符号化部、２９…ＰＥＳ化処理部、３０…多重化処理部、３１…入力端子、３２…音声符号化部、３３…ＰＥＳ化処理部、３４…入力端子、３５…ＰＥＳ化処理部、３６…入力端子、３７…ＰＳＩ／ＳＩ情報生成部、３８…セクション化処理部、３９…伝送路符号化部、４０…出力端子、４１…ＨＥＶＣ符号化部、４２…ＰＥＳ化処理部、４３…多重化処理部、４４…ＰＳＩ／ＳＩ情報生成部、４５…セクション化処理部、４６…伝送路符号化部、４７…出力端子、４８…アンテナ、４９…入力端子、５０…チューナ部、５１…信号処理部、５２…合成処理部、５３…音声処理部、５４…映像処理部、５５…出力端子、５６…映像表示部、５７…出力端子、５８…スピーカ、５９…制御部、５９ａ…ＣＰＵ、５９ｂ…メモリ部、６０…操作部、６１…リモートコントローラ、６２…受信部、６３…ＨＤＤ、６３ａ…ハードディスク、６４…ネットワークインターフェース、６５…コンテンツ復元処理部、６６，６７…入力端子、６８…伝送路復号部、６９…多重化分離部、７０…デパケット処理部、７１…ＭＰＥＧ２復号部、７２…出力端子、７３…デパケット処理部、７４…音声復号部、７５…出力端子、７６…デパケット処理部、７７…出力端子、７８…セクション復元部、７９…出力端子、８０…伝送路復号部、８１…多重化分離部、８２…セクション復元部、８３…出力端子、８４…デパケット処理部、８５…ＨＥＶＣ処理部、８６…出力端子、８７…映像復元処理部、８８，８９…入力端子、９０…２Ｋ／４Ｋ変換部、９１…合成部、９２…出力端子。
【図１】
2014060625.tif 000003
【図２】
2014060625.tif 000004
【図３】
2014060625.tif 000005
【図４】
2014060625.tif 000006
【図５】
2014060625.tif 000007
【図６】
2014060625.tif 000008
【図７】
2014060625.tif 000009
【図８】
2014060625.tif 000010
【図９】
2014060625.tif 000011
【図１０】
2014060625.tif 000012
【図１１】
2014060625.tif 000013
【図１２】
2014060625.tif 000014
【図１３】
2014060625.tif 000015